(57)【要約】【課題】録画した映像ファイルを管理する上で使い勝手がよい録画装置を提供する。【解決手段】  ＤＶＤレコーダは、入力部、符号化部、記録／読取部、信号処理部、出力部、制御部、を備える。制御部は、ＲＯＭ内に、録画予約処理、録画処理、初期設定処理、タイトル修正処理を実行するサブルーチンを記憶している。録画予約処理は番組録画の予約を行う。録画処理は、録画予約処理で指定された時刻に、指定されたチャンネルで録画を開始する。初期設定処理は、登録処理を含む。登録処理は、タイトルから削除する文字列を予めユーザから登録を受け付けて登録する。タイトル修正処理は、登録した文字列を、映像ファイルそれぞれから一括削除する修正を行う。【選択図】図４
2009105744.tif 000002
【特許請求の範囲】
【請求項１】
映像を録画する録画部を備えた録画装置において、
前記録画部により録画された映像ファイルのタイトルに含まれる、不要な文字列の指定を受け付けることにより、これらの文字列の登録を予め行う登録手段と、
前記映像ファイルの各々のタイトルから、前記登録した文字列を削除するタイトル修正手段を備えた録画装置。
【請求項２】
前記録画部は、放送番組および電子番組表を受信する受信部を備え、前記電子番組表の画像を画面に出力して、その番組表から放送番組の選択を受け付けることにより、放送番組の録画予約を行い、
前記登録手段は、前記電子番組表に特有の文字列を初期状態で登録している請求項１に記載の録画装置。
【請求項３】
前記録画部は、光ディスクに映像を録画する第１記録部と、ハードディスクに映像を録画する第２記録部と、を備え、
前記録画部は、所定の操作に応じて、第２記録部に記録された映像ファイルのダビングを行い、前記ダビングの際に、前記タイトル修正手段を用いて、前記第１記録部に記録する映像ファイルのタイトルから前記登録した文字列を削除する請求項１〜２のいずれかに記載の録画装置。
【発明の詳細な説明】
【技術分野】
【０００１】
本発明は、放送番組を録画する録画装置に関し、特に録画する映像ファイルの管理に特徴がある録画装置に関する。
【背景技術】
【０００２】
従来より、放送番組を受信するチューナと、ＤＶＤ、ハードディスク等の記録媒体を内蔵し、放送番組を録画するＤＶＤレコーダが実用化されている。このような装置では、予め放送番組の指定、または、放送番組を特定する情報、例えば、放送番組のチャンネル、曜日、時間帯の指定を受け付けて、指定された時刻に録画を開始する録画予約が行われている。そして、このような放送番組を特定する情報がファイルのタイトルに付されて録画される。
【０００３】
特許文献１〜３には、タイトルを修正したり情報を付加したりする旨の記載がある。特許文献１の段落１０には、タイトルに付される文字列「ＬＰ：」を自動削除する情報記録装置が記載されている。特許文献２には、複数トラックにわたるタイトル名を修正する修正装置が開示されている。特許文献３の段落１６９には、日付などの情報を変換する旨の記載がある。
【特許文献１】特開２００３−６８０１７公報
【特許文献２】特開２００３−１８７５５９公報
【特許文献３】特開２００１−１６７５６４公報
【発明の開示】
【発明が解決しようとする課題】
【０００４】
しかしながら、特許文献１の装置は音楽情報の形式の文字列を削除するだけであり、ユーザが選択した文字を削除するのではない。その結果、装置の出荷時に登録されていない文字は、削除できず、結局ユーザが削除しなければならなかった。
【０００５】
そこで、映像ファイルを管理する上で使い勝手がよい録画装置を提供することを目的とする。
【課題を解決するための手段】
【０００６】
本発明は、上述の課題を解決するための手段を以下のように構成している。
【０００７】
（１）  映像を録画する録画部を備えた録画装置において、
前記録画部により録画された映像ファイルのタイトルに含まれる、不要な文字列の指定を受け付けることにより、これらの文字列の登録を予め行う登録手段と、
前記映像ファイルの各々のタイトルから、前記登録した文字列を削除するタイトル修正手段を備えた。
【０００８】
この構成の録画装置によれば、映像ファイルのタイトルから、登録した文字列を削除するので、タイトルを管理する上で使い勝手を向上させることができる。
【０００９】
（２）  前記録画部は、放送番組および電子番組表を受信する受信部を備え、前記電子番組表の画像を画面に出力して、その番組表から放送番組の選択を受け付けることにより、放送番組の録画予約を行い、
前記登録手段は、前記電子番組表に特有の文字列を初期状態で登録している。
【００１０】
この構成では、前記電子番組表に特有の文字列を初期状態で登録しているので、登録手段でユーザが登録しなくても、前記電子番組表に特有の所定の文字列を削除することができる。
【００１１】
（３）  前記録画部は、光ディスクに映像を録画する第１記録部と、ハードディスクに映像を録画する第２記録部と、を備え、
前記録画部は、所定の操作に応じて、第２記録部に記録された映像ファイルのダビングを行い、前記ダビングの際に、前記タイトル修正手段を用いて、前記第１記録部に記録する映像ファイルのタイトルから前記登録した文字列を削除する。
【００１２】
この構成ではハードディスクから光ディスクにダビングする際に、タイトルを修正するので光ディスクに記録した映像ファイルから不要な文字を削除できる。したがって、タイトルを管理する上で使い勝手を向上させることができる。
なお、この構成では、第１記録部に記録された映像ファイルすべてについて、文字列を削除してもよいし、第１記録部に記録された映像ファイルのうちから、選択した映像ファイルについて削除してもよい。
【発明の効果】
【００１３】
本発明の録画装置によれば、映像ファイルのタイトルから、登録した文字列を削除するので、タイトルを管理する上で使い勝手を向上させることができる。
【発明を実施するための最良の形態】
【００１４】
図１は、この発明の実施形態であるＤＶＤレコーダ１の主要部の構成を示すブロック図である。この実施形態のＤＶＤレコーダ１は、ＤＶＤ等の記録媒体への映像信号の記録、および記録媒体に記録されている映像ファイルの再生を行う。
【００１５】
この実施形態のＤＶＤレコーダ１にマウント可能なＤＶＤ１０は、書き換え可能なＤＶＤ−ＲＷなどや、追記可能な光ディスクＤＶＤ−Ｒなどであるが、本実施形態のＤＶＤに限らず、他の光ディスクに対して記録する場合でも、本装置を応用できる。
【００１６】
入力部２には、映像信号、音声信号を入力する。この映像信号、音声信号は、例えば、外部の映像信号出力装置から入力する。また、入力部２は、放送信号を受信する受信部を備えている。アンテナ等（不図示）で受信したデジタル形式の放送信号から、映像信号、音声信号、文字情報を抽出する。
【００１７】
受信部は、アンテナから受信したトランスポートストリーム（ＴＳ）から、ＭＰＥＧ形式の映像信号、音声信号、文字情報を取り出す。具体的には、受信部は、チューナパック、地上デジタルモジュール、チューナ制御部、復調回路、誤り訂正回路を備えている。チューナパックは、ＩＦフィルタ、ＩＦアンプ等を備えている。ＩＦフィルタ（intermediate frequency）はチューナ制御部から指示された所定の物理チャンネルの信号を通す。ＩＦアンプは、この信号を増幅する。これにより、チューナパックは、チューナ制御部により指定されたチャンネルの放送信号を抽出する。また、復調回路は、入力された放送信号をデジタルデータであるＴＳ（トランスポートストリーム）にＯＦＤＭ（Orthogonal Frequency Division Multiplexing）復調し、誤り訂正回路に出力する。誤り訂正回路は入力されたＴＳ（トランスポートストリーム）の誤り情報を訂正して、地上デジタルモジュールに出力する。地上デジタルモジュールは、マルチプレクサ、バッファメモリを備えている。ＴＳには複数の仮想チャンネルの番組が多重化されて送信されている。デマルチプレクサは、これらの仮想チャンネルのうちの１チャンネルのパケットを抽出して、抽出したパケットに格納されているデータをバッファメモリに記憶させる。
【００１８】
符号化部３は、入力部２で入力したアナログ形式の映像信号および音声信号をデジタル信号に変換して、これらをエンコードする。符号化部３は、このエンコードしたデータをディスクドライブ４に出力する。ただし、上記ＴＳから抽出した映像信号は、すでにＭＰＥＧ形式になっているので、ハードディスクに記録する場合には、この形式に改めてエンコードしなくてもよい。
【００１９】
なお、入力部２の受信部は、アナログ放送の受信部としてもよい。この場合には、受信部として、中間周波数を抽出するフィルタと、この中間周波数帯域を増幅する中間周波数増幅部を備える。また、符号化部３の代わりに、映像信号を取り出す映像処理部、色信号再生部、同期検出回路を備える。映像処理部は、表示データ生成部、同期検出回路、フレームメモリを備える。色信号再生部は、カラー映像信号から色信号を取り出し、ＲＧＢの３原色信号を生成する。同期検出回路は、カラー映像信号から水平同期信号、垂直同期信号を取り出す。表示データ生成部は、３原色信号をＡ／Ｄ変換し、水平同期信号、垂直同期信号に基づいて、映像処理部３３内のフレームメモリに記憶する。これにより、映像信号を出力する。
【００２０】
記録／読取部４は、記録媒体の１種である光ディスクドライブ４１と、ハードディスク４２（ＨＤ４２と略す）と、ハードディスクドライブ４３（ＨＤＤ４３と略す）を備える。光ディスクドライブ４は、ＤＶＤ１０にレーザ光を照射し、その反射光を検出するピックアップヘッド（不図示）や、ＤＶＤ１０に照射しているレーザ光の照射位置を制御するフォーカスサーボ制御やトラッキングサーボ制御等を行うサーボ制御部（不図示）等を有している。これらの構成により、光ディスクドライブ４１は、ＤＶＤ１０の読出・記録をする。ＨＤ４２は、記録媒体の１種である。ＨＤＤ４３は、ＨＤ４２に記録し、記録したデータを読み出す。
【００２１】
なお、本実施形態の記録媒体は、映像信号、音声信号を記録できればよく、光ディスクのほかフラッシュメモリ等の持ち運びできるもののみならず、据付で使用するものも含む。
【００２２】
このような構成により、記録／読取部４は、符号化部３でエンコードされた映像信号、音声信号をＤＶＤ１０またはＨＤ４２に記録する。以下では、映像信号、音声信号の記録媒体への記録を録画という。
【００２３】
信号処理部５は、復調部、デコーダ、ＯＳＤ合成部を備えている。復調部は、ディスクドライブ４が読み取ったＲＦ信号について８／１６復調等を行い、誤り訂正を行って映像データと音声データを抽出する。デコーダは、映像データと音声データをデコードする。
【００２４】
ＯＳＤ合成部は、制御部９が発行するコマンドに基づいてＯＳＤ合成部５の文字、キャラクタ等のＯＳＤ（On-Screen Display）を合成する。デコーダから映像信号が出力されている場合には、この映像信号とＯＳＤを合成し、出力部６に出力する。場合によっては、ＯＳＤ合成部は、映像信号の出力を禁止して、ＯＳＤのみを出力してもよい。
【００２５】
ＯＳＤ合成部は、内部に種々の画像データを記憶している。例えば、種々の文字列を表示するための文字、図形、初期設定処理９３で表示するユーザインターフェースの画像、電子番組表（ＥＰＧ）の枠画像、および、タイトル修正処理９５で表示する枠画像（図４）などを記憶している。これらの枠画像と、文字、図形を合成してＯＳＤを出力する。
【００２６】
出力部６は、Ｄ/Ａ変換器等を備え、信号処理部５で処理された映像信号、音声信号をＤ/Ａ変換する。出力部６は、Ｄ/Ａ変換した映像信号、音声信号を同期させて、表示器１１、スピーカ１２に出力する。
【００２７】
操作部８は、装置本体に対する操作を指示する入力を受け付ける。操作部８は、複数の操作キーや、リモコン装置８１から送信されてきた装置本体に対する制御コードを受信するリモコン受信部を有している。操作部８は、ユーザにより操作された操作キーに応じた入力を受け付け、これらに対応したコードや、リモコン受信部で受信した制御コードを制御部９に伝達する。例えば操作部８は、録画の指示や、録画予約を受け付ける。
【００２８】
制御部９は、マイコンで構成し、ＣＰＵ、ＲＡＭ、制御データ格納用のＲＯＭを備える。制御部９は、操作部８で受け付けた入力に基づいて、以上で示した装置のうち２〜８の各部の動作を制御する。また、制御部９のＲＯＭは、予め録画予約を行う録画予約処理９１、管理処理９３、録画処理９２を実行するためのサブルーチンを記憶している。また、フラッシュメモリ９９は、制御部９の外部に接続されており、これには、ＤＶＤレコーダ１の状態や、各種初期設定の情報が記録されている。
【００２９】
録画予約処理９１では、録画予約の項目の選択を受け付ける。録画予約処理９１は、録画する放送番組の開始前に予め所定のキー操作を受け付けた場合に実行する。録画予約処理９１では、ユーザから録画予定時間Ｔ［Ｈ］、録画予定時刻、録画するテレビのチャンネル番号、曜日または日付、録画する記録媒体の指定を受け付ける。また、画質を指定するための録画モードの選択を受け付けてもよい。
【００３０】
また、録画予約処理９１では、制御部９は、受信部から取り込んだ文字データを基に、電子番組表（ＥＰＧ）の画面を出力して、録画予約の放送番組を受け付ける。管理処理９３では、録画した映像ファイルを管理する処理を行う。
【００３１】
録画処理９２では、制御部９は、録画動作の開始、停止等の制御を行う。また、録画処理９２では、録画予約のデータに基づいて、放送番組の録画を開始する。初期設定処理９３では、各種の設定の変更を受け付けて、フラッシュメモリ９９にこの設定を記録する。初期設定処理９３には、登録処理９４を含む。登録処理９４では、タイトル修正処理９５の処理の前に、所定の文字列を登録する。タイトル修正処理９５では、登録した文字列を、録画した映像ファイルのタイトル（即ち、ファイル名称）から削除して、タイトルの修正を行う。ダビング処理９７では、ＨＤ４２に記録された映像ファイルをＤＶＤ１０にダビングする処理を行う。
【００３２】
ＤＶＤレコーダ１には、表示器１０１とスピーカ１０２が接続されている。表示器１０１は、出力部６から出力された映像信号に基づいて映像を表示する。スピーカ１０２は、出力部６から出力された音声信号を増幅して音声を放出する。例えば、液晶モニタ、プラズマモニタ、ＥＬモニタ、ブラウン管、プロジェクタなどで構成する。
【００３３】
次に、図２の画面表示例５１を用いて、録画予約処理９１のときに表示する電子番組表（ＥＰＧ）について説明する。この例では、時刻５１１とチャンネル５１２をマトリクス状に並べたＥＰＧを表示器１０１の画面に表示する。マトリクスの交差するところに、各番組の名称を表示する。番組の名称は、例えば「ドラマＡ  ＧＧワイド」、「映画Ｘ  ワイド字幕あり」、「ドラマＹ  ＧＧワイド出演Ｍｒ．ｘｘ他」などと表示される。この状態で番組を選択すると、番組のチャンネル、開始時刻、終了時刻が登録される。さらに、画質設定などをユーザが設定すると、録画する番組が予約される。そして、ここで登録した開始時刻になると、制御部９は、録画処理９２を実行して、録画を開始する。
【００３４】
しかし、このように録画した映像ファイルのタイトルには、ユーザが必要としないまたは好まない文字列が多く含まれている。そこで、制御部９は、ユーザの所定の操作に応じて、タイトル修正処理９５を行う。以下では、この文字列の例として、「ＧＧ」、「他」、「ワイド」、「Ｓ」があるものとして説明する。
【００３５】
図３を用いて、初期設定で文字列を登録する登録処理９４について説明する。登録処理９４は、初期設定処理９３に含まれる。初期設定処理９３では、ＤＶＤレコーダ１についての種々の設定を受け付ける。例えば、画面５２のように「受信設定」、「画面設定」、「音声設定」、「録画設定」などを受け付ける。「受信設定」では、「チャンネル設定」などを受け付ける。「画面設定」では、画面のアスペクト比、輝度、コントラストの設定を受け付ける。「音声設定」では、ステレオ、副音声などの設定を受け付ける。操作部８のカーソルキー（不図示）で、上下にハイライト表示５２１が移動する。ハイライト表示５２１がされている部分が、画面上で選択されている項目である。
【００３６】
録画設定が選択されている間に、操作部８の決定ボタン（不図示）が押されると、レコーダ１は、画面５３に切り換えて出力する。「録画設定」では、録画するに際して、デフォルトの画質ビットレートの設定を受けつける。また、「録画設定」では、「タイトル内の文字列の削除設定」を受け付ける。この選択がされている間に（ハイライト表示５３１）、決定ボタンが押されると、画面５４に切り換えて表示する。
【００３７】
画面５４では、「自動削除設定のオン、オフ」、「削除する文字列の登録」の項目を表示する。「自動削除設定」で、これをユーザがオンに設定すると、録画終了後にファイルのタイトルを登録した文字列をタイトルから自動的に削除する修正を行う。
【００３８】
画面５４で、「削除する文字列の登録」が選択されると、登録処理９４を行う。この処理は、タイトルのうちユーザが不要と考える文字列を受け付けて、予め登録するものである。登録処理９４では、登録済みの文字列の一覧を表示すると共に、新規登録を受け付ける。
【００３９】
画面５４の「登録済みの文字列の一覧」には、工場出荷時の設定を含んでいる。具体的には、ＤＶＤレコーダ１の製造者が、工場出荷時の時点で、放送局から送信されているＥＰＧを調査する。そして、ユーザが削除する可能性がある文字列、例えば「ＧＧ」、「字幕」などを登録しておくことができる。なお、この工場出荷時の設定は、初期設定をデフォルト設定にリセットした場合に切り換わる設定とすることもできる。
【００４０】
新規登録では、ひらがな５４１から選択を受け付けて、文字列を登録する。なお、ひらがなでなく、アルファベット、カタカナを並べて、文字の選択を受け付けてもよい。また別の入力方法としては、携帯電話機のように、数字ボタンそれぞれに文字を割り当てて、数字ボタンを連打すると、アルファベットの文字が切り換るようにして、入力を受け付けてもよい。また、アルファベットでなくても、カタカナ、ひらがなでも、同様な方法で入力してもよい。
【００４１】
次に、図４のタイトル修正処理９５を行っている場合に表示する画面の例を示す。タイトル修正処理９５では、一括削除と、選択削除のいずれかを行う。図４（Ａ）の例では、画面にファイルのタイトル群を表示しており、選択によりハイライト表示５４１が移動する。一括削除が選択されている場合に、決定ボタンを押すと、図４（Ｂ）のように、すべてのタイトルから、登録処理９４で登録した文字列がすべて削除される。また、「削除しました」、または「終了しました」と画面５５に表示する。また、タイトルを修正した結果の一覧を表示する。
【００４２】
なお、「一括削除」では、記録媒体（１０または４２）に記録された「すべてのタイトル」について修正するのではなく、所定のグループを抽出して表示し、そのすべてのタイトルについて、以上の修正をしてもよい。
【００４３】
図４（Ｃ）の画面５６は、選択削除をユーザが選択した場合を示している。この場合、ハイライト表示をファイルのタイトル一覧のところに移動させる。そこで、複数のタイトルの選択を受け付ける。そして、ユーザが決定ボタンを押すと、図４（Ｄ）の画面５７のように、選択したタイトルだけを修正する。
【００４４】
次に図５を用いて、以上で説明したタイトル修正処理９５のフローを示す。この処理は、この処理を指示する操作をユーザから受け付けた場合に、これに応じて制御部９によって実行される（ＳＴ１）。
【００４５】
ＳＴ２では、所定のファイルを選択し、録画処理９２で登録した文字列を選択する。このファイルのタイトルに選択した文字列が含まれているかどうか検索する。ＳＴ３では、ＳＴ２で検索した結果、文字列が含まれていれば、削除する。以上のＳＴ２、ＳＴ３のステップを登録したすべての文字列、すべてのファイルについて繰り返し実行する。この繰り返しがすべて終了すると、図４（Ｂ）、図４（Ｄ）のような、「終了しました」という表示を行うと共に、修正結果を表示する。
【００４６】
次に、図６のフロー図を用いて、タイトル修正処理９５をダビング処理９７に応用する例を示す。この処理は、ユーザの操作に応じて、ダビング処理９７を受け付けた場合に実行する（ＳＴ１１）。ＳＴ１２で、ダビングするファイルの選択を受け付ける。例えば、図４（Ｃ）のように、タイトル一覧から選択を受け付ける。ただし、この処理では、図４（Ｃ）のような「一括削除」、「選択削除」の代わりに、「全選択」、「ファイル選択」を表示する。「全選択」、「ファイル選択」のうち、「ファイル選択」が選択された場合には、タイトル一覧から選択を受け付け、「全選択」が選択された場合には、後に、画面に表示するすべてのファイルをダビングする。ＳＴ１３で、ダビングをする前に、ＤＶＤ１０に記録するファイルのタイトルを修正するタイトル修正処理９５を行う。
【００４７】
ＳＴ１４で、修正後のタイトル一覧を表示して、ユーザに確認を求める。承諾を受けた場合には、ＳＴ１５に移動する。ＳＴ１５で、修正したタイトルでＤＶＤ１０へコピーする。ユーザが承諾しない旨選択した場合には、手動でユーザからタイトルの変更を受け付けてもよい。その後、制御部９は、ダビング処理９７を終了する。
【００４８】
なお、ＳＴ１３の修正、および上記手動でのタイトル変更については、ＨＤＤ４３内の基データに反映してもよいし、しなくてもよい。また、「全選択」では、所定のグループの登録をユーザから受け付けて、そのグループ内の全部の映像ファイルについて「全選択」をするようにしてもよい。
【００４９】
以上の実施形態について補足する。
【００５０】
以上の図１の説明では、機能ごとに分離したブロックで説明したが、実装上は、これらの機能のうち、いずれかが複数の機能が一体となったシステムＩＣで構成してもよいし、一つのブロックを複数に分離して構成してもよい。
【００５１】
フラッシュメモリ９９は、制御部９のマイコンに付属のものでもよい。また、フラッシュメモリ９９は、直接制御部９に接続されていなくても、間接的に制御部９がアクセスできればよい。
【００５２】
また、デコーダ４は、専門の処理プロセッサでなくても、パソコン上で動作するソフトウェアによりデコードしてもよい。ＯＳＤの合成もソフトウェア上で行ってもよい。また、制御部９をパソコン、ゲーム機のＣＰＵとしてもよい。
【００５３】
操作部８をパソコンへの入力機器（キーボード、マウス、タッチパネル、ゲームパッドなど）としてもよい。パソコンで以上の処理をする場合には、操作部８は、マウス、その他のポインテングデバイスとすることも可能である。操作部８は、制御部９に対して指示をすることができればよく、その限りでは、タッチパネル等どのような操作手段でもよい。光ディスクドライブ４１、ＨＤＤ４３は、上記ダビングを行うとき以外は、両方備える必要がなく、１以上の記録媒体に記録、読み出しができればよい。ただし、ドライブ４１に記録されたファイルのタイトルを変更したファイルをドライブ４１に再度記録するためには、複数回記録できるディスクを用いるか、ディスク上の別の領域に記録することが必要になる。
【図面の簡単な説明】
【００５４】
【図１】第１実施形態のＤＶＤレコーダの構成図
【図２】第１実施形態のＤＶＤレコーダの録画予約時の画面の例
【図３】第１実施形態のＤＶＤレコーダの登録処理時の画面の例
【図４】第１実施形態のＤＶＤレコーダのタイトル修正処理で表示する画面の例
【図５】第１実施形態のＤＶＤレコーダのタイトル修正処理のフロー図
【図６】第１実施形態のＤＶＤレコーダのダビング処理のフロー図
【符号の説明】
【００５５】
１−ＤＶＤレコーダ、  ２−入力部、  ３−符号化部、
４−記録／読取部、  ４１−光ディスクドライブ、  ４２−ハードディスク（ＨＤ）、
４３−ハードディスクドライブ（ＨＤＤ）、  ５−信号処理部、  ６−出力部、
８−操作部、  ９−制御部、  ９１−録画予約処理、  ９２−録画処理、
９３−初期設定処理、  ９４−登録処理、  ９５−タイトル修正処理、
９７−ダビング処理、  １０−ＤＶＤ、  １０１−表示器、  １０２−スピーカ、
【図１】
2009105744.tif 000003
【図２】
2009105744.tif 000004
【図３】
2009105744.tif 000005
【図４】
2009105744.tif 000006
【図５】
2009105744.tif 000007
【図６】
2009105744.tif 000008